(57)【要約】【課題】蛍光粒子を正確に検出可能な方法が望まれている。【解決手段】励起光を照射された複数の非蛍光粒子のそれぞれの自家蛍光の強度を散乱光の強度の三乗で除した第１の値の所定の割合を第１の閾値以下とする第１の閾値ａを保存し、かつ、励起光を照射された複数の非蛍光粒子のそれぞれの自家蛍光の強度を散乱光の強度の自乗で除した第２の値の所定の割合を第２の閾値以下とする第２の閾値ｂを保存する判定基準記憶装置４０１と、散乱光の強度を表す変数をｘ、蛍光の強度を表す変数をｙ、０を含む定数をｃとして、励起光を照射された検査対象粒子が発した蛍光の強度が、当該検査対象粒子で生じた散乱光の強度を下記（１）式のｘに代入した場合に算出される蛍光の強度より高い場合、当該検査対象粒子が蛍光粒子であると判定する判定部３０１と、を備える、蛍光粒子の検出装置。                          ｙ＝ａｘ3＋ｂｘ2＋ｃ  （１）【選択図】図４
2015148444.tif 000002
【特許請求の範囲】
【請求項１】
励起光を照射された複数の非蛍光粒子のそれぞれについて算出された、自家蛍光の強度を散乱光の強度の三乗で除した値を表す第１の値、の所定の割合を、第１の閾値以下とする該第１の閾値を用意することと、
前記複数の非蛍光粒子のそれぞれについて算出された、前記自家蛍光の強度を前記散乱光の強度の自乗で除した値を表す第２の値、の所定の割合を、第２の閾値以下とする該第２の閾値を用意することと、
前記非蛍光粒子表面に蛍光物質を添加した粒子である医薬品の模擬粉体を所定の空間中に飛散させることと、
前記所定の空間から吸引した気体に前記励起光を照射し、前記気体に含まれる検査対象粒子で生じた散乱光と、前記検査対象粒子が発した蛍光を検出することと、
散乱光の強度を表す変数をｘ、蛍光の強度を表す変数をｙ、前記第１の閾値をａ、前記第２の閾値をｂ、０を含む定数をｃとして、前記検査対象粒子が発した蛍光の強度が、当該検査対象粒子で生じた散乱光の強度を下記（１）式のｘに代入した場合に算出される蛍光の強度より高い場合、当該検査対象粒子が前記模擬粉体であると判定することと、
を含む、医薬品の模擬粉体の飛散性評価方法。
ｙ＝ａｘ3＋ｂｘ2＋ｃ  （１）
【請求項２】
前記医薬品の模擬粉体が、前記非蛍光粒子表面に蛍光粒子成分を複合化した粒子である、請求項１に記載の医薬品の模擬粉体の飛散性評価方法。
【請求項３】
前記非蛍光粒子がラクトースからなる、請求項１又は２に記載の医薬品の模擬粉体の飛散性評価方法。
【請求項４】
前記非蛍光粒子がマンニトールからなる、請求項１又は２に記載の医薬品の模擬粉体の飛散性評価方法。
【請求項５】
前記非蛍光粒子がスクロースからなる、請求項１又は２に記載の医薬品の模擬粉体の飛散性評価方法。
【請求項６】
前記定数ｃが０である、請求項１ないし５のいずれか１項に記載の医薬品の模擬粉体の飛散性評価方法。
【請求項７】
複数の非蛍光粒子のそれぞれに励起光を照射し、前記複数の非蛍光粒子のそれぞれで生じた散乱光と、前記複数の非蛍光粒子のそれぞれが発した自家蛍光を検出することと、
前記複数の非蛍光粒子のそれぞれについて、前記自家蛍光の強度を前記散乱光の強度の三乗で除した値を表す第１の値を算出することと、
所定の割合の前記第１の値が第１の閾値以下となるよう、該第１の閾値を設定することと、
前記複数の非蛍光粒子のそれぞれについて、前記自家蛍光の強度を前記散乱光の強度の自乗で除した値を表す第２の値を算出することと、
所定の割合の前記第２の値が第２の閾値以下となるよう、該第２の閾値を設定することと、
検査対象粒子に前記励起光を照射し、前記検査対象粒子で生じた散乱光と、前記検査対象粒子が発した蛍光を検出することと、
散乱光の強度を表す変数をｘ、蛍光の強度を表す変数をｙ、前記第１の閾値をａ、前記第２の閾値をｂ、０を含む定数をｃとして、前記検査対象粒子が発した蛍光の強度が、当該検査対象粒子で生じた散乱光の強度を下記（２）式のｘに代入した場合に算出される蛍光の強度より高い場合、当該検査対象粒子が蛍光粒子であると判定することと、
を含む、蛍光粒子の検出方法。
ｙ＝ａｘ3＋ｂｘ2＋ｃ  （２）
【請求項８】
前記蛍光粒子が、前記非蛍光粒子表面に蛍光物質を添加した粒子である、請求項７に記載の蛍光粒子の検出方法。
【請求項９】
前記蛍光粒子が、前記非蛍光粒子表面に蛍光粒子成分を複合化した粒子である、請求項７又は８に記載の蛍光粒子の検出方法。
【請求項１０】
前記非蛍光粒子がラクトースからなる、請求項７ないし９のいずれか１項に記載の蛍光粒子の検出方法。
【請求項１１】
前記非蛍光粒子がマンニトールからなる、請求項７ないし９のいずれか１項に記載の蛍光粒子の検出方法。
【請求項１２】
前記非蛍光粒子がスクロースからなる、請求項７ないし９のいずれか１項に記載の蛍光粒子の検出方法。
【請求項１３】
前記定数ｃが０である、請求項７ないし１２のいずれか１項に記載の蛍光粒子の検出方法。
【請求項１４】
前記蛍光粒子が医薬品の模擬粉体である、請求項７ないし１３のいずれか１項に記載の蛍光粒子の検出方法。
【請求項１５】
粒子に励起光を照射する光源と、
前記粒子で生じた散乱光を検出する散乱光検出部と、
前記粒子が発した自家蛍光及び蛍光を検出する蛍光検出部と、
前記励起光を照射された複数の非蛍光粒子のそれぞれについて算出された、自家蛍光の強度を散乱光の強度の三乗で除した値を表す第１の値、の所定の割合を第１の閾値以下とする該第１の閾値を保存し、かつ、前記複数の非蛍光粒子のそれぞれについて算出された、前記自家蛍光の強度を前記散乱光の強度の自乗で除した値を表す第２の値、の所定の割合を第２の閾値以下とする該第２の閾値を保存する判定基準記憶装置と、
散乱光の強度を表す変数をｘ、蛍光の強度を表す変数をｙ、前記第１の閾値をａ、前記第２の閾値をｂ、０を含む定数をｃとして、前記励起光を照射された検査対象粒子が発した蛍光の強度が、当該検査対象粒子で生じた散乱光の強度を下記（３）式のｘに代入した場合に算出される蛍光の強度より高い場合、当該検査対象粒子が蛍光粒子であると判定する判定部と、
を備える、蛍光粒子の検出装置。
ｙ＝ａｘ3＋ｂｘ2＋ｃ  （３）
【請求項１６】
前記蛍光粒子が、前記非蛍光粒子表面に蛍光物質を添加した粒子である、請求項１５に記載の蛍光粒子の検出装置。
【請求項１７】
前記蛍光粒子が、前記非蛍光粒子表面に蛍光粒子成分を複合化した粒子である、請求項１５又は１６に記載の蛍光粒子の検出装置。
【請求項１８】
前記非蛍光粒子がラクトースからなる、請求項１５ないし１７のいずれか１項に記載の蛍光粒子の検出装置。
【請求項１９】
前記非蛍光粒子がマンニトールからなる、請求項１５ないし１７のいずれか１項に記載の蛍光粒子の検出装置。
【請求項２０】
前記非蛍光粒子がスクロースからなる、請求項１５ないし１７のいずれか１項に記載の蛍光粒子の検出装置。
【請求項２１】
前記定数ｃが０である、請求項１５ないし２０のいずれか１項に記載の蛍光粒子の検出装置。
【請求項２２】
前記蛍光粒子が医薬品の模擬粉体である、請求項１５ないし２１のいずれか１項に記載の蛍光粒子の検出装置。
【発明の詳細な説明】
【技術分野】
【０００１】
本発明は環境評価技術に関し、特に医薬品の模擬粉体の飛散性評価方法、蛍光粒子の検出方法、及び蛍光粒子の検出装置に関する。
【背景技術】
【０００２】
抗ガン剤等の高薬理活性医薬品が気中に飛散すると、ごく微量の気中濃度でも人体に影響を与えてしまうことがある。したがって、医薬品を取り扱う部屋においては、医薬品の飛散性を予め評価することが望まれる。しかし、実際の医薬品を故意に飛散させて飛散性の評価を行うことは、危険な場合がある。そのため、人体にとって無害な医薬品の模擬粉体を用いて、飛散性の評価を行うことが提案されている（例えば、特許文献１ないし３、及び非特許文献１参照。）。模擬粉体の飛散性の評価結果に基づいて、医薬品の飛散防止措置がとられる。
【先行技術文献】
【特許文献】
【０００３】
【特許文献１】特開２００９−８６４４号公報
【特許文献２】特開２０１３−５０３４５号公報
【特許文献３】国際公開第２００９／１０８２２３号
【非特許文献】
【０００４】
【非特許文献１】田中ら、「高薬理活性医薬品製造施設の薬塵封じ込め評価方法に関する検討」、第３０回空気清浄とコンタミネーションコントロール研究大会予稿集、２０１３年、ｐ．１３１−１３３
【発明の概要】
【発明が解決しようとする課題】
【０００５】
医薬品の模擬粉体としては、例えば、蛍光粒子が使用される。医薬品の模擬粉体に限らず、蛍光粒子を正確に検出可能な方法が望まれている。
【課題を解決するための手段】
【０００６】
本発明の態様によれば、（ａ）励起光を照射された複数の非蛍光粒子のそれぞれについて算出された、自家蛍光の強度を散乱光の強度の三乗で除した値を表す第１の値、の所定の割合を、第１の閾値以下とする該第１の閾値を用意することと、（ｂ）複数の非蛍光粒子のそれぞれについて算出された、自家蛍光の強度を散乱光の強度の自乗で除した値を表す第２の値、の所定の割合を、第２の閾値以下とする該第２の閾値を用意することと、（ｃ）非蛍光粒子表面に蛍光物質を添加した粒子である医薬品の模擬粉体を所定の空間中に飛散させることと、（ｄ）所定の空間から吸引した気体に励起光を照射し、気体に含まれる検査対象粒子で生じた散乱光と、検査対象粒子が発した蛍光を検出することと、（ｅ）散乱光の強度を表す変数をｘ、蛍光の強度を表す変数をｙ、第１の閾値をａ、第２の閾値をｂ、０を含む定数をｃとして、検査対象粒子が発した蛍光の強度が、当該検査対象粒子で生じた散乱光の強度を下記（１）式のｘに代入した場合に算出される蛍光の強度より高い場合、当該検査対象粒子が模擬粉体であると判定することと、を含む、医薬品の模擬粉体の飛散性評価方法が提供される。
ｙ＝ａｘ3＋ｂｘ2＋ｃ  （１）
【０００７】
また、本発明の態様によれば、（ａ）複数の非蛍光粒子のそれぞれに励起光を照射し、複数の非蛍光粒子のそれぞれで生じた散乱光と、複数の非蛍光粒子のそれぞれが発した自家蛍光を検出することと、（ｂ）複数の非蛍光粒子のそれぞれについて、自家蛍光の強度を散乱光の強度の三乗で除した値を表す第１の値を算出することと、（ｃ）所定の割合の第１の値が第１の閾値以下となるよう、該第１の閾値を設定することと、（ｄ）複数の非蛍光粒子のそれぞれについて、自家蛍光の強度を散乱光の強度の自乗で除した値を表す第２の値を算出することと、（ｅ）所定の割合の第２の値が第２の閾値以下となるよう、該第２の閾値を設定することと、（ｆ）検査対象粒子に励起光を照射し、検査対象粒子で生じた散乱光と、検査対象粒子が発した蛍光を検出することと、（ｇ）検査対象粒子が発した蛍光の強度が、当該検査対象粒子で生じた散乱光の強度を上記（１）式のｘに代入した場合に算出される蛍光の強度より高い場合、当該検査対象粒子が蛍光粒子であると判定することと、を含む、蛍光粒子の検出方法が提供される。
【０００８】
さらに、本発明の態様によれば、（ａ）粒子に励起光を照射する光源と、（ｂ）粒子で生じた散乱光を検出する散乱光検出部と、（ｃ）粒子が発した自家蛍光及び蛍光を検出する蛍光検出部と、（ｄ）励起光を照射された複数の非蛍光粒子のそれぞれについて算出された、自家蛍光の強度を散乱光の強度の三乗で除した値を表す第１の値、の所定の割合を第１の閾値以下とする該第１の閾値を保存し、かつ、複数の非蛍光粒子のそれぞれについて算出された、自家蛍光の強度を散乱光の強度の自乗で除した値を表す第２の値、の所定の割合を第２の閾値以下とする該第２の閾値を保存する判定基準記憶装置と、（ｅ）励起光を照射された検査対象粒子が発した蛍光の強度が、当該検査対象粒子で生じた散乱光の強度を上記（１）式のｘに代入した場合に算出される蛍光の強度より高い場合、当該検査対象粒子が蛍光粒子であると判定する判定部と、を備える、蛍光粒子の検出装置が提供される。
【発明の効果】
【０００９】
本発明によれば、蛍光粒子を正確に検出することが可能となる。
【図面の簡単な説明】
【００１０】
【図１】本発明の実施の形態に係る蛍光粒子の検出装置が配置された部屋の模式図である。
【図２】本発明の実施の形態に係る蛍光粒子の検出装置の模式図である。
【図３】本発明の実施の形態に係る蛍光粒子の検出装置の光源素子の模式図である。
【図４】本発明の実施の形態に係る蛍光粒子の検出装置の中央演算処理装置の模式図である。
【図５】本発明の実施の形態に係る非蛍光粒子に関する第１の値の分布と、第１の閾値と、を示す模式的なグラフである。
【図６】本発明の実施の形態に係る非蛍光粒子に関する第２の値の分布と、第２の閾値と、を示す模式的なグラフである。
【図７】本発明の実施の形態の比較例に係る医薬品の模擬粉体及び非蛍光粒子（ラクトース）に関する散乱光の強度と、蛍光の強度と、関係を示す対数グラフである。
【図８】本発明の実施の形態の実施例に係る医薬品の模擬粉体及び非蛍光粒子（ラクトース）に関する散乱光の強度と、蛍光の強度と、関係を示す対数グラフである。
【図９】本発明のその他の実施の形態に係る蛍光粒子の検出装置における光学系の模式図である。
【発明を実施するための形態】
【００１１】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１２】
図１に示すように、本発明の実施の形態に係る蛍光粒子の検出装置１０は、所定の空間を規定する部屋２０１に設置される。なお、所定の空間を規定するのはこれに限定されず、テント、ブース、チャンバ、及びコンテナ等であってもよい。部屋２０１には、例えば給気装置２１１Ａ、２１１Ｂが設けられている。給気装置２１１Ａ、２１１Ｂは、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）及びＵＬＰＡ（Ｕｌｔｒａ  Ｌｏｗ  Ｐｅｎｅｔｒａｔｉｏｎ  Ａｉｒ  Ｆｉｌｔｅｒ）等の超高性能エアフィルタを通して、部屋２０１内部に清浄な空気を送り込む。
【００１３】
蛍光粒子の検出装置１０は、例えば図２に示すように、励起光を発する光源素子１と、光源素子１が装着される台座２と、光源素子１から放射された励起光を平行光にする照射側平行光レンズ１１と、平行光を集光する照射側集光レンズ１２と、照射側集光レンズ１２で集光された励起光に検査対象粒子を含む気流を横切らせる噴射機構３と、を備える。噴射機構３は、例えば気流の流速を変化させるためのエアバルブを備えていてもよい。
【００１４】
台座２に装着された光源素子１は、例えば図３に示すように、基板１０１と、基板１０１の表面に沿って設けられたアノード電極１０２と、カソード電極１０３と、基板１０１上に配置された発光ダイオード（ＬＥＤ）チップ１０４と、を備える。アノード電極１０２と、ＬＥＤチップ１０４と、は、ワイヤボンディング１０５で電気的に接続される。また、カソード電極１０３と、ＬＥＤチップ１０４と、は、ワイヤボンディング１０６で電気的に接続される。基板１０１上には、ＬＥＤチップ１０４を取り囲むように、リフレクタ１０７が配置される。また、ＬＥＤチップ１０４は、透明樹脂１０８で封止される。
【００１５】
光源素子１が発する励起光は、可視光であっても、紫外光であってもよい。励起光が可視光である場合、励起光の波長は、例えば４００ないし４１０ｎｍの範囲内であり、例えば４０５ｎｍである。励起光が紫外光である場合、励起光の波長は、例えば３１０ないし３８０ｎｍの範囲内であり、例えば３５５ｎｍである。ただし、光源素子１が発する励起光の波長は、検出対象とする蛍光粒子の種類によって決定され、これらの数値に限定されない。図２に示す光源素子１を保持する台座２は、蛍光粒子の検出装置１０の筐体３１に固定されている。
【００１６】
噴射機構３は、ファン等によって図１に示す部屋２０１から図２に示す筐体３１の内部に気体を吸引し、ノズル等を介して、吸引した気体を照射側集光レンズ１２の焦点に向けて噴射する。照射側集光レンズ１２で集光された励起光の進行方向に対して、噴射機構３から噴射される気流の進行方向は、例えば、略垂直に設定される。ここで、気流に検査対象粒子が含まれていると、検査対象粒子に当たった励起光がミー散乱により散乱し、散乱光が生じる。また、励起光を照射された検査対象粒子が蛍光粒子であった場合、蛍光粒子は蛍光を発する。励起光を照射された検査対象粒子が非蛍光粒子であった場合、非蛍光粒子は自家蛍光を発しうる。なお、気体は、必ずしも照射側集光レンズ１２の焦点に向けて噴射される必要はない。例えば、気体は、励起光を横切る限りにおいて、照射側集光レンズ１２の焦点から外れた位置に噴射されてもよい。照射側集光レンズ１２で集光された励起光を横切った気流は、排気機構によって筐体３１の外部に排気される。
【００１７】
蛍光粒子の検出装置１０は、噴射機構３が噴射した気流を横切った光を平行光にする検出側平行光レンズ１３と、検出側平行光レンズ１３で平行光にされた光を集光する検出側集光レンズ１４と、をさらに備える。気流に含まれる検査対象粒子によって散乱光が生じた場合、散乱光も、検出側平行光レンズによって平行光にされ、その後、検出側集光レンズ１４で集光される。検出側集光レンズ１４の焦点には、検査対象粒子によって散乱した光を検出する散乱光検出部１６が配置されている。散乱光検出部１６としては、フォトダイオード及び光電子増倍管等が使用可能である。散乱光検出部１６が散乱光を検出した回数から、検査対象粒子の数を計測することが可能である。また、検査対象粒子による散乱光の強度は、検査対象粒子の粒径と相関する。したがって、散乱光の強度から、検出された検査対象粒子の粒径を求めることが可能である。
【００１８】
また、蛍光粒子の検出装置１０の筐体３１内部には、例えば噴射機構３から噴射される気流と平行に、凹面ミラーである集光ミラー１５がさらに配置されている。集光ミラー１５は、気流に含まれる検査対象粒子が発した自家蛍光又は蛍光を集光する。集光ミラー１５の焦点には、自家蛍光又は蛍光を検出する蛍光検出部１７が配置されている。蛍光検出部１７としては、フォトダイオード及び光電子増倍管等が使用可能である。散乱光検出部１６及び蛍光検出部１７には、検出した散乱光強度及び蛍光強度をリアルタイムに統計処理する、図４に示す中央演算処理装置（ＣＰＵ）３００が接続される。
【００１９】
ＣＰＵ３００には、判定基準記憶装置４０１が接続されている。判定基準記憶装置４０１は、下記（１）式で与えられる判定式を保存する。
ｙ＝ａｘ3＋ｂｘ2＋ｃ  （１）
ここで、ｘは散乱光の強度を表す変数、ｙは蛍光の強度を表す変数、ａは第１の閾値、ｂは第２の閾値、ｃは定数を表す。ｃは０であってもよい。第１の閾値ａ及び第２の閾値ｂは、以下の方法により予め取得される。
【００２０】
まず、非蛍光粒子を用意する。非蛍光粒子は、例えば、ラクトース、マンニトール又はスクロースからなる。次に、図１に示す部屋２０１内で、非蛍光粒子を医薬品と同様に取り扱うことによって、飛散させる。例えば、部屋２０１内で医薬品の秤量、詰め替え、及び回収等が行われる場合は、それを模倣して、非蛍光粒子の秤量、詰め替え、及び回収等を行うことによって、非蛍光粒子を部屋２０１内に飛散させる。同時に、蛍光粒子の検出装置１０は、部屋２０１内の気体の吸引を開始し、吸引した気体の気流に含まれる複数の非蛍光粒子のそれぞれに対して、図２に示した光源素子１から励起光を照射する。散乱光検出部１６は、複数の非蛍光粒子のそれぞれで生じた散乱光を検出する。蛍光検出部１７は、複数の非蛍光粒子のそれぞれが発した自家蛍光を検出する。
【００２１】
図４に示すＣＰＵ３００は、判定基準決定部３０２を含む。判定基準決定部３０２は、複数の非蛍光粒子のそれぞれについて、下記（２）式に示すように、自家蛍光の強度ＩFを散乱光の強度ＩSの三乗で除した値を表す第１の値Ｉ1を算出する。なお、第１の値Ｉ1は、自家蛍光の強度ＩFを散乱光の強度ＩSの三乗で除した値そのものであってもよいし、自家蛍光の強度ＩFを散乱光の強度ＩSの三乗で除した値に比例する値であってもよい。
Ｉ1＝ＩF／（ＩS）3      （２）
複数の非蛍光粒子のそれぞれの第１の値Ｉ1は、例えば図５に示すように、ガウス状に分布する。図４に示す判定基準決定部３０２は、図５に示すように、所定の割合の第１の値Ｉ1が第１の閾値ＩT1以下となるよう、第１の閾値ＩT1を設定する。所定の割合とは、例えば８０％、８５％、９０％、９５％、９８％、又は１００％である。
【００２２】
また、図４に示す判定基準決定部３０２は、複数の非蛍光粒子のそれぞれについて、下記（３）式に示すように、自家蛍光の強度ＩFを散乱光の強度ＩSの自乗で除した値を表す第２の値Ｉ2を算出する。なお、第２の値Ｉ2は、自家蛍光の強度ＩFを散乱光の強度ＩSの自乗で除した値そのものであってもよいし、自家蛍光の強度ＩFを散乱光の強度ＩSの自乗で除した値に比例する値であってもよい。
Ｉ2＝ＩF／（ＩS）2      （３）
複数の非蛍光粒子のそれぞれの第２の値Ｉ2は、例えば図６に示すように、ガウス状に分布する。図４に示す判定基準決定部３０２は、図６に示すように、所定の割合の第２の値Ｉ2が第２の閾値ＩT2以下となるよう、第２の閾値ＩT2を設定する。所定の割合とは、例えば８０％、８５％、９０％、９５％、９８％、又は１００％である。
【００２３】
図４に示す判定基準決定部３０２は、設定した第１の閾値ＩT1及び第２の閾値ＩT2を、判定基準記憶装置４０１に保存する。
【００２４】
次に、医薬品の模擬粉体の飛散性評価方法について説明する。非蛍光粒子表面に蛍光物質を添加した蛍光粒子である医薬品の模擬粉体を用意する。模擬粉体の核をなす非蛍光粒子は、第１の閾値ＩT1及び第２の閾値ＩT2を設定する際に用いられた非蛍光粒子と同じであることが好ましい。蛍光物質としては、リボフラビン、及びニコチンアミドアデニンジヌクレオチド（ＮＡＤＨ）等が使用可能であるが、これらに限定されない。模擬粉体は、乾式粒子複合化装置等を用いて、非蛍光粒子と、蛍光物質からなる蛍光粒子成分と、を複合化することにより製造される。ここで、製造された模擬粉体に、蛍光物質が添加されなかった非蛍光粒子が混入する場合がある。
【００２５】
次に、図１に示す部屋２０１内で、模擬粉体を医薬品と同様に取り扱うことによって、飛散させる。例えば、部屋２０１内で医薬品の秤量、詰め替え、及び回収等が行われる場合は、それを模倣して、模擬粉体の秤量、詰め替え、及び回収等を行うことによって、模擬粉体を飛散させる。同時に、蛍光粒子の検出装置１０は、部屋２０１内の気体の吸引を開始し、吸引した気体の気流に含まれる複数の検査対象粒子のそれぞれに対して、図２に示した光源素子１から励起光を照射する。散乱光検出部１６は、複数の検査対象粒子のそれぞれで生じた散乱光を検出する。蛍光検出部１７は、複数の検査対象粒子のそれぞれが発した蛍光帯域の光（蛍光又は自家蛍光）を検出する。
【００２６】
図４に示すＣＰＵ３００は、判定部３０１を含む。判定部３０１は、判定基準記憶装置４０１から、上記（１）式を読み出す。さらに、判定部３０１は、検査対象粒子が生じた散乱光の強度を、上記（１）式のｘに代入して、蛍光の強度を算出する。検査対象粒子が発した蛍光帯域の光の強度が、上記（１）で算出された蛍光の強度より高い場合、判定部３０１は、検査対象粒子が模擬粉体であると判定する。検査対象粒子が発した蛍光帯域の光の強度が、上記（１）で算出された蛍光の強度以下である場合、判定部３０１は、検査対象粒子が模擬粉体ではなく、非蛍光粒子であると判定する。
【００２７】
（比較例）
ラクトースからなる非蛍光粒子を用意し、部屋の中に飛散させた。同時に、蛍光粒子の検出装置で部屋の中の気体の吸引を開始し、吸引した気体の気流に含まれる複数の非蛍光粒子のそれぞれに対して励起光を照射し、複数の非蛍光粒子のそれぞれで生じた散乱光と、複数の非蛍光粒子のそれぞれが発した自家蛍光と、を検出した。次に、実施の形態で説明したように、検出した散乱光の強度と、自家蛍光の強度と、に基づいて、第１の閾値ａを設定し、下記（４）式で与えられる判定式を用意した。
ｙ＝ａｘ3＋ｃ  （４）
【００２８】
ラクトースからなる非蛍光粒子の表面に蛍光粒子成分を複合化させた医薬品の模擬粉体を用意し、模擬粉体と、非蛍光粒子と、の両方を、部屋の中に飛散させた。同時に、蛍光粒子の検出装置で部屋の中の気体の吸引を開始し、吸引した気体の気流に含まれる複数の粒子のそれぞれに対して励起光を照射し、複数の粒子のそれぞれで生じた散乱光と、複数の粒子のそれぞれが発した蛍光帯域の光と、を検出した。
【００２９】
検出した複数の粒子のそれぞれが生じた散乱光の強度を、上記（４）式のｘに代入して、蛍光の強度を算出した。検出した複数の粒子のそれぞれが発した蛍光帯域の光の強度が、上記（４）で算出された蛍光の強度より高い場合、検出した粒子が模擬粉体であると判定し、上記（４）で算出された蛍光の強度以下である場合、検出した粒子が非蛍光粒子であると判定した。しかし、検証したところ、図７に示すように、模擬粉体であると判定された粒子に、非蛍光粒子が多数含まれていた。また、模擬粉体であると判定された粒子に非蛍光粒子が含まれないよう、上記（４）式の第１の閾値ａを設定しなおしたところ、非蛍光粒子であると判定された粒子に、模擬粉体が多数含まれていた。
【００３０】
（実施例）
ラクトースからなる非蛍光粒子を用意し、部屋の中に飛散させた。同時に、蛍光粒子の検出装置で部屋の中の気体の吸引を開始し、吸引した気体の気流に含まれる複数の非蛍光粒子のそれぞれに対して励起光を照射し、複数の非蛍光粒子のそれぞれで生じた散乱光と、複数の非蛍光粒子のそれぞれが発した自家蛍光と、を検出した。次に、実施の形態で説明したように、検出した散乱光の強度と、自家蛍光の強度と、に基づいて、第１の閾値及び第２の閾値を設定し、上記（１）式を用意した。
【００３１】
ラクトースからなる非蛍光粒子の表面に蛍光粒子成分を複合化させた医薬品の模擬粉体を用意し、模擬粉体と、非蛍光粒子と、の両方を、部屋の中に飛散させた。同時に、蛍光粒子の検出装置で部屋の中の気体の吸引を開始し、吸引した気体の気流に含まれる複数の粒子のそれぞれに対して励起光を照射し、複数の粒子のそれぞれで生じた散乱光と、複数の粒子のそれぞれが発した蛍光帯域の光と、を検出した。
【００３２】
検出した複数の粒子のそれぞれが生じた散乱光の強度を、上記（１）式のｘに代入して、蛍光の強度を算出した。検出した複数の粒子のそれぞれが発した蛍光帯域の光の強度が、上記（１）で算出された蛍光の強度より高い場合、検出した粒子が模擬粉体であると判定し、上記（１）で算出された蛍光の強度以下である場合、検出した粒子が非蛍光粒子であると判定した。その後、検証したところ、図８に示すように、模擬粉体であると判定された粒子に、非蛍光粒子はほとんど含まれていなかった。また、非蛍光粒子であると判定された粒子に、模擬粉体はほとんど含まれていなかった。
【００３３】
実際に模擬粉体の飛散試験を行う際には、非蛍光粒子を意図的に同時に飛散させることは通常ない。しかし、模擬粉体を製造する際に、模擬粉体に非蛍光粒子が混入する場合がある。この場合、模擬粉体のみを、検出対象の蛍光粒子として正確に検出することが望まれる。ここで、比較例の（４）式のように、判定式が、散乱光の強度を表す変数ｘの自乗の項を含んでいないと、非蛍光粒子を模擬粉体であると誤って判定したり、模擬粉体を非蛍光粒子であると誤って判定したりする場合がある。これに対し、（１）式のように、判定式に、散乱光の強度を表す変数ｘの自乗の項を含ませることにより、誤判定を抑制することが可能となる。これにより、模擬粉体を正確に検出することが可能となる。
【００３４】
（その他の実施の形態）
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。例えば、蛍光粒子の検出装置１０における光学系は、図２に示した例に限られない。例えば、図９に示すように、平行光レンズ５１で平行光にされた光に、粒子を含む気流を横切らせてもよい。このように、本発明はここでは記載していない様々な実施の形態等を包含するということを理解すべきである。
【符号の説明】
【００３５】
１      光源素子
２      台座
３      噴射機構
１０    蛍光粒子の検出装置
１１    照射側平行光レンズ
１２    照射側集光レンズ
１３    検出側平行光レンズ
１４    検出側集光レンズ
１５    集光ミラー
１６    散乱光検出部
１７    蛍光検出部
３１    筐体
５１    平行光レンズ
１０１  基板
１０２  アノード電極
１０３  カソード電極
１０４  チップ
１０５、１０６  ワイヤボンディング
１０７  リフレクタ
１０８  透明樹脂
２０１  部屋
２１１Ａ、２１１Ｂ      給気装置
３０１  判定部
３０２  判定基準決定部
４０１  判定基準記憶装置
【図１】
2015148444.tif 000003
【図４】
2015148444.tif 000004
【図５】
2015148444.tif 000005
【図６】
2015148444.tif 000006
【図９】
2015148444.tif 000007
【図２】
2015148444.tif 000008
【図３】
2015148444.tif 000009
【図７】
2015148444.tif 000010
【図８】
2015148444.tif 000011